(57)【要約】      （修正有）【課題】液体残量を適切に管理し、液体を有効に消費することができる液体噴射装置を提供する。【解決手段】ノズルに連通する圧力室を含む液体流路を有し圧力室内の液体に圧力を付与してノズルから液滴を吐出する記録ヘッド１０と、該記録ヘッド１０に液体を供給する液体供給手段と、ノズルから圧力室内を所定の吸引力で吸引して圧力室内の液体を排出させる吸引動作を実行するクリーニング装置４０と、吸引動作に対応して予め設定された設定消費量を液体供給手段に収容された全液体量から累積的に減算することで液体供給手段の液体残量を算出する算出手段５５とを具備し、且つ使用場所の少なくとも環境気圧に応じて前記設定消費量を調整する調整手段５６を具備し、所定の液体残量となった時点でユーザに交換を促す。【選択図】図６
2007301906.tif 000002
【特許請求の範囲】
【請求項１】
ノズルに連通する圧力室を含む液体流路を有し前記圧力室内の液体に圧力を付与して前記ノズルから液滴を吐出する液体噴射ヘッドを有するヘッドユニットと、前記液体噴射ヘッドに液体を供給する液体供給手段と、前記ノズルから前記圧力室内を所定の吸引力で吸引して当該圧力室内の液体を排出させる吸引動作を実行する吸引手段と、前記吸引動作に対応して予め設定された設定消費量を前記液体供給手段に収容された全液体量から累積的に減算することで前記液体供給手段の液体残量を算出する算出手段とを具備し、且つ使用場所の少なくとも環境気圧に応じて前記設定消費量を調整する調整手段を具備することを特徴とする液体噴射装置。
【請求項２】
使用環境の環境気圧を検出する気圧検出手段をさらに具備し、前記調整手段が、前記気圧検出手段が検出した環境気圧に応じて、前記設定消費量を調整することを特徴とする請求項１に記載の液体噴射装置。
【請求項３】
使用環境の標高を入力する入力手段と、該入力手段により入力された標高から環境気圧を算出する気圧算出手段とをさらに具備し、前記調整手段が、前記気圧算出手段によって算出された環境気圧に応じて前記設定消費量を調整することを特徴とする請求項１に記載の液体噴射装置。
【請求項４】
液体噴射ヘッドが、前記圧力室の一方面に設けられた可撓性電極と、該可撓性電極に一定間隔で対向配置された固定電極との間に駆動電圧パルスを印加して、これらの間に発生する静電気力によって前記可撓性電極を振動させるアクチュエータを具備するものであり、且つ前記アクチュエータの静電容量から環境気圧を算出する気圧算出手段をさらに具備し、前記調整手段が、前記気圧算出手段によって算出された環境気圧に応じて前記設定消費量を調整することを特徴とする請求項１に記載の液体噴射装置。
【請求項５】
液体噴射ヘッドが、前記圧力室の一方面に設けられた可撓性電極と、該可撓性電極に一定間隔で対向配置された固定電極との間に駆動電圧パルスを印加して、これらの間に発生する静電気力によって前記可撓性電極を振動させるアクチュエータを具備するものであり、且つ前記可撓性電極の残留振動波形から環境気圧を算出する気圧算出手段をさらに具備し、前記調整手段が、前記気圧算出手段によって算出された環境気圧に応じて前記設定消費量を調整することを特徴とする請求項１に記載の液体噴射装置。
【請求項６】
前記調整手段が、前記吸引動作を実行した際に前記圧力室内が定圧で吸引される環境温度の範囲では、使用場所の環境気圧に応じて前記設定消費量を調整し、前記吸引動作を実行した際に前記圧力室内が定量で吸引される環境温度の範囲では、使用場所の環境温度に応じて前記設定消費量を調整することを特徴とする請求項１〜５の何れかに記載の液体噴射装置。
【請求項７】
使用場所の環境温度を検出する温度検出手段をさらに具備し、前記調整手段が、使用場所の環境気圧と共に前記温度検出手段が検出した使用場所の環境温度に応じて、前記設定消費量を調整することを特徴とする請求項６に記載の液体噴射装置。
【発明の詳細な説明】
【技術分野】
【０００１】
本発明は、圧力室内の液体に圧力を付与してノズルから液滴を吐出させる液体噴射ヘッドを具備する液体噴射装置に関する。
【背景技術】
【０００２】
ノズルから液滴を吐出する液体噴射ヘッドを具備する液体噴射装置としては、インク滴を吐出するインクジェット式記録ヘッドを具備するインクジェット式記録装置があり、具体的には、例えば、プリンタ、ファクシミリ、複写機等が挙げられる。インクジェット式記録ヘッドとしては、例えば、発熱素子等によって液体を沸騰させ、そのときに生じる気泡圧で液滴を吐出させるものや、液滴が充填された圧力室の容積を、圧電素子の変位によって膨張又は収縮させることでノズルから液滴を吐出させるものなどがある。さらに、例えば、静電気力を利用して圧力室の容積を変化させることで、ノズルから液滴を吐出させるようにしたものがある。
【０００３】
例えば、静電駆動方式のインクジェット式記録ヘッドとしては、複数のノズルが形成されたノズルプレートと、ノズルに連通するインクキャビティ（圧力室）及びインクリザーバ（共通液室）が形成され、インクキャビティの底面に可撓性電極が設けられたキャビティプレートと、可撓性電極に一定間隔で対向配置された個別電極（固定電極）が設けられた電極基板とが貼り付けられて構成され、上記インクキャビティとインクリザーバとが、ノズルプレートに形成されたインク供給路（供給口）を介して連通させるようにしたものがある（例えば、特許文献１参照）。
【０００４】
このようなインクジェット式記録ヘッドは、ノズルからインク滴を記録媒体上に吐出しているため、例えば、ノズル近傍のインクが増粘したり、インク内に気泡が存在したりすること等により、吐出不良が発生するという問題がある。このため、インクジェット式記録装置では、一般に、ノズルプレートの表面にキャップ部材を押しつけた状態で、キャップ内を吸引することで、すなわちインクキャビティ内を吸引することで、ノズルからインクを排出する吸引動作が実施されている（例えば、特許文献２参照）。
【０００５】
ここで、インクカートリッジ等のインク供給手段のインクの残量は、一般的に、計算によって求められている。例えば、吸引動作を実施する場合、１回の吸引動作に対応して予め設定されたインク消費量（設定消費量）を、インク供給手段の全液体量から累積的に減算することによってインク残量が算出されている。そして、例えば、この計算上のインク残量に基づいてインク供給手段の交換が要求される。
【０００６】
また、上述した吸引動作では、実施条件を一定にした場合でも、使用場所の環境気圧、あるいは環境温度によってインクの流速が変化するため、使用場所によって吸引動作におけるインク消費量が変化してしまう。例えば、環境気圧が高くなると流速が速くなるため消費量は多くなり、逆に、環境気圧が低くなると流速が遅くなるため消費量は少なくなる。さらに、吸引動作においては、一定値以上の流速でインクをノズルから排出させる必要があるため、吸引動作の条件は、インク消費量が少ない場合、具体的には、低気圧、低温環境での使用に合わせて設定される。また、インク残量の計算に用いられる上記設定消費量は、消費量が最大となる場合、具体的には、高気圧、高温環境での使用に合わせて設定される。
【０００７】
このため、例えば、低気圧、低温環境で記録装置を使用すると、設定消費量が実際の消費量よりもかなり多くなり、インク供給手段の計算上のインクの残量と実際のインクの残量とが一致しないという問題が生じる。具体的には、インク供給手段内に使用できるインクがまだ残っているにも拘わらずインク供給手段を交換しなければならなくなり、インクを無駄に廃棄しなければならず、ランニングコストも増加してしまうという問題がある。
【０００８】
勿論、このような問題は、インク滴以外の液滴を吐出する液体噴射ヘッドを具備する液体噴射装置においても同様に存在する。
【０００９】
【特許文献１】特開平１１−１９８３８６号公報（特許請求の範囲、第１図等）
【特許文献２】特開２００４−３３０７５０号公報（段落［００４０］等）
【発明の開示】
【発明が解決しようとする課題】
【００１０】
本発明は、このような事情に鑑み、液体を有効に消費することができ、ランニングコストを抑えることができる液体噴射装置を提供することを課題とする。
【課題を解決するための手段】
【００１１】
上記課題を解決する本発明の第１の態様は、ノズルに連通する圧力室を含む液体流路を有し前記圧力室内の液体に圧力を付与して前記ノズルから液滴を吐出する液体噴射ヘッドを有するヘッドユニットと、前記液体噴射ヘッドに液体を供給する液体供給手段と、前記ノズルから前記圧力室内を所定の吸引力で吸引して当該圧力室内の液体を排出させる吸引動作を実行する吸引手段と、前記吸引動作に対応して予め設定された設定消費量を前記液体供給手段に収容された全液体量から累積的に減算することで前記液体供給手段の液体残量を算出する算出手段とを具備し、且つ使用場所の少なくとも環境気圧に応じて前記設定消費量を調整する調整手段を具備することを特徴とする液体噴射装置にある。
かかる第１の態様では、使用場所の環境気圧に拘わらず、吸引動作における計算上の液体消費量（設定消費量）と実際の液体消費量との差が極めて小さくなる。これにより、液体供給手段の計算上の液体残量と実際の液体残量との差が小さくなるため、液体供給手段内の液体を効率的に使用することができる。
【００１２】
本発明の第２の態様は、使用環境の環境気圧を検出する気圧検出手段をさらに具備し、前記調整手段が、前記気圧検出手段が検出した環境気圧に応じて、前記設定消費量を調整することを特徴とする第１の態様の液体噴射装置にある。
かかる第２の態様では、使用場所の環境気圧が記録装置に設けられた気圧検出手段によって検出されるため、設定消費量が手間なくより正確に調整される。したがって、液体供給手段の計算上の液体残量と実際の液体残量との差がより確実に小さくなる。
【００１３】
本発明の第３の態様は、使用環境の標高を入力する入力手段と、該入力手段により入力された標高から環境気圧を算出する気圧算出手段とをさらに具備し、前記調整手段が、前記気圧算出手段によって算出された環境気圧に応じて前記設定消費量を調整することを特徴とする第１の態様の液体噴射装置にある。
かかる第３の態様では、正確な標高が入力されることで、使用場所の環境気圧が比較的容易且つ正確に算出され、設定消費量が手間なくより正確に調整される。
【００１４】
本発明の第４の態様は、液体噴射ヘッドが、前記圧力室の一方面に設けられた可撓性電極と、該可撓性電極に一定間隔で対向配置された固定電極との間に駆動電圧パルスを印加して、これらの間に発生する静電気力によって前記可撓性電極を振動させるアクチュエータを具備するものであり、且つ前記アクチュエータの静電容量から環境気圧を算出する気圧算出手段をさらに具備し、前記調整手段が、前記気圧算出手段によって算出された環境気圧に応じて前記設定消費量を調整することを特徴とする第１の態様の液体噴射装置にある。
かかる第４の態様では、使用場所の環境気圧が記録装置のアクチュエータの静電容量から算出されることで、設定消費量が手間なくより正確に調整される。
【００１５】
本発明の第５の態様は、液体噴射ヘッドが、前記圧力室の一方面に設けられた可撓性電極と、該可撓性電極に一定間隔で対向配置された固定電極との間に駆動電圧パルスを印加して、これらの間に発生する静電気力によって前記可撓性電極を振動させるアクチュエータを具備するものであり、且つ前記可撓性電極の残留振動波形から環境気圧を算出する気圧算出手段をさらに具備し、前記調整手段が、前記気圧算出手段によって算出された環境気圧に応じて前記設定消費量を調整することを特徴とする第１の態様の液体噴射装置にある。
かかる第５の態様では、使用場所の環境気圧が記録装置のアクチュエータの残留振動波形から算出されることで、設定消費量が手間なくより正確に調整される。
【００１６】
本発明の第６の態様は、前記調整手段が、前記吸引動作を実行した際に前記圧力室内が定圧で吸引される環境温度の範囲では、使用場所の環境気圧に応じて前記設定消費量を調整し、前記吸引動作を実行した際に前記圧力室内が定量で吸引される環境温度の範囲では、使用場所の環境温度に応じて前記設定消費量を調整することを特徴とする第１〜５の何れかの態様の液体噴射装置にある。
かかる第６の態様では、吸引動作における設定消費量が、記録装置の使用環境に極めて適した状態に調整される。したがって、液体供給手段の計算上の液体残量と実際の液体残量との差がより確実に小さくなる。
【００１７】
本発明の第７の態様は、使用場所の環境温度を検出する温度検出手段をさらに具備し、前記調整手段が、使用場所の環境気圧と共に前記温度検出手段が検出した使用場所の環境温度に応じて、前記設定消費量を調整することを特徴とする第６の態様の液体噴射装置にある。
かかる第７の態様では、吸引手段の吸引力がより使用環境に適した状態に且つより手間無く調整される。
【発明を実施するための最良の形態】
【００１８】
以下、本発明を実施形態に基づいて説明する。
（実施形態１）
図１は、本発明の実施形態１に係る液体噴射装置の概略斜視図である。
本実施形態の液体噴射装置は、インク滴を吐出するインクジェット式記録ヘッド（以下、記録ヘッド）を有するインクジェット式記録装置（以下、記録装置）１であり、図１に示すように、記録ヘッドを有するヘッドユニット２（２Ａ及び２Ｂ）は、インク供給手段を構成するインクカートリッジ３（３Ａ及び３Ｂ）が着脱可能に設けられ、このヘッドユニット２を搭載したキャリッジ４は、装置本体５に取り付けられたキャリッジ軸６に軸方向移動自在に設けられている。なお、ヘッドユニット２Ａ及び２Ｂは、それぞれブラックインク組成物及びカラーインク組成物を吐出するものとしている。
【００１９】
また、キャリッジ軸６の一端部近傍には、駆動モータ７が設けられており、駆動モータ７の軸の先端部には外周に溝を有する第１のプーリ７ａが設けられている。さらに、キャリッジ軸６の他端部近傍には、駆動モータ７の第１のプーリ７ａに対応する第２のプーリ７ｂが回転自在に設けられており、これら第１のプーリ７ａと第２のプーリ７ｂとの間には環状でゴム等の弾性部材からなるタイミングベルト８が掛けられている。
【００２０】
そして、駆動モータ７の駆動力がタイミングベルト８を介してキャリッジ４に伝達されることで、ヘッドユニット２を搭載したキャリッジ４はキャリッジ軸６に沿って移動される。一方、装置本体５にはキャリッジ４に沿ってプラテン９が設けられている。このプラテン９は図示しない紙送りモータの駆動力により回転できるようになっており、給紙ローラなどにより給紙された紙等の記録媒体である記録シートＳがプラテン９に巻き掛けられて搬送されるようになっている。
【００２１】
また、キャリッジ４の移動方向の端部であるプラテン９の側方の非印字領域には、詳しくは後述するが、記録ヘッドのノズル近傍のインクを吸引する吸引動作を実行する吸引手段であるクリーニング装置４０が設けられている。
【００２２】
次に、実施形態１に係る記録ヘッドの構成について説明する。図２は、記録ヘッドの概略斜視図であり、図３は、その断面図である。本実施形態に係る記録ヘッド１０は、いわゆる静電駆動方式の記録ヘッドであり、キャビティ基板１１と、このキャビティ基板１１の両面にそれぞれ接合されるノズルプレート２０及び電極基板３０とで構成されている。
【００２３】
キャビティ基板１１は、例えば、面方位（１１０）のシリコン単結晶基板からなり、その一方面側に開口する圧力室（キャビティ）１２がその幅方向に複数並設されている。また、本実施形態では、図３に示すように、キャビティ基板１１には、複数の圧力室１２が並設された列が２列形成されている。さらに、キャビティ基板１１には、各列の圧力室１２に共通するインク室（貯留部）となる共通インク室１３が形成されており、この共通インク室１３は、後述するインク供給路を介して各圧力室１２に連通されている。また、共通インク室１３の底壁には、共通インク室１３にインクを供給するためのインク供給孔１４が形成されている。また、キャビティ基板１１には、共通インク室１３の外側に、後述する個別電極に接続される個別端子部を露出させるための貫通孔１５が形成されている。なお、この貫通孔１５は、キャビティ基板１１の共通インク室１３とは反対側の端面まで連続的に形成されていてもよい。
【００２４】
なお、各圧力室１２の底壁は、圧力室１２内に圧力を付与するための振動板１６として機能し、且つこの振動板１６を変位させる静電気力を発生させるための共通電極としての役割を兼ねている。すなわち、この振動板１６は、圧力室１２に圧力を付与するためのアクチュエータを構成する可撓性電極として機能するものである。そして、キャビティ基板１１の貫通孔１５近傍には、ノズルプレート２０の後述する露出孔内に露出されて図示しない駆動配線が接続される共通端子部１７が形成されている。
【００２５】
ノズルプレート２０は、例えば、面方位（１００）のシリコン単結晶基板からなり、各圧力室１２に連通する複数のノズル２１が形成されている。そして、このノズルプレート２０は、キャビティ基板１１の開口面側に接合され、圧力室１２及び共通インク室１３の一方の面を形成している。また、ノズルプレート２０のキャビティ基板１１とは反対側の面には、ノズル２１に対応する領域に亘って厚さ方向の一部を除去したノズル段差部２２が形成されている。
【００２６】
ここで、各ノズル２１は、インク滴が吐出される側に設けられてノズル段差部２２内に開口する略円形の小径部２１ａと、小径部２１ａよりも大きい径を有し小径部２１ａと圧力室１２とを連通する大径部２１ｂとからなる。そして、全てのノズル２１（小径部２１ａ）は、このノズル段差部２２内に開口しており、本実施形態では、このノズル段差部２２内のノズルプレート２０の表面がノズル面となる。
【００２７】
また、このノズルプレート２０のキャビティ基板１１との接合面には、圧力室１２と共通インク室１３との境界に対応する領域に、これら各圧力室１２と共通インク室１３とを連通するインク供給路２３が形成されている。また、ノズルプレート２０には、共通インク室１３の外側に対応する位置に、キャビティ基板１１の貫通孔１５に連通し、後述する個別端子部と共に共通端子部１７を露出させる露出孔２４が形成されている。なお、この露出孔２４は、貫通孔１５と同様に、共通インク室１３とは反対側の端面まで連続的に形成されていてもよい。
【００２８】
また、このノズルプレート２０の表面、本実施形態では、ノズル段差部２２内には、例えば、フッ素含有シランカップリング化合物等からなる撥水撥油性材料からなる撥液膜２５が形成されている。これにより、ノズルプレート２０の表面（ノズル面）へのインク滴の付着を抑えている。
【００２９】
一方、電極基板３０は、シリコン単結晶基板に近い熱膨張率を有する、例えば、ホウ珪酸ガラス等のガラス基板からなり、キャビティ基板１１の振動板１６側の面に接合されている。この電極基板３０の振動板１６に対向する領域には、各圧力室１２に対応して溝３１が形成されている。また、電極基板３０には、キャビティ基板１１のインク供給孔１４に対応する位置には、このインク供給孔１４に連通するインク導入孔３２が形成されている。そして、図示しないインクカートリッジ等のインク供給手段からこのインク導入孔３２及びインク供給孔１４を介して共通インク室１３にインクが充填されるようになっている。
【００３０】
また、各溝３１には、振動板１６を変位させる静電気力を発生させるための固定電極である個別電極３３が、振動板１６との間に所定の間隔を確保した状態でそれぞれ配置されている。また、溝３１内には、キャビティ基板１１の貫通孔１５に対向する領域に、図示しない駆動配線が接続される個別端子部３４が形成されており、この個別端子部３４と各個別電極３３とはリード電極３５によって接続されている。なお、図示しないが、これら各個別電極３３及びリード電極３５は絶縁膜によって封止され、また個別端子部３４と共通端子部１７との間には、接続配線を介して駆動電圧パルスを印加するための発振回路が接続されている。
【００３１】
そして、このような記録ヘッド１０では、発振回路によって個別電極３３と振動板１６（キャビティ基板１１）とで構成されるアクチュエータに駆動電圧パルスを印加すると、これら個別電極３３と振動板１６との隙間に発生する静電気力によって振動板１６が個別電極３３側に撓み変形して、圧力室１２の容積が拡大し、駆動電圧の印加を解除すると、振動板１６が元の状態に復帰し、圧力室１２の容積が収縮する。そして、このとき発生する圧力室１２内の圧力変化によって、圧力室１２内のインクの一部が、ノズル２１からインク滴として吐出される。
【００３２】
また、上述したように、このような記録ヘッド１０を有するヘッドユニット２が搭載された記録装置１には、吸引手段であるクリーニング装置４０が非印字領域に設けられており（図１参照）、このクリーニング装置４０によって所定のタイミングで吸引動作が実行される。なお、吸引動作とは、ノズル２１から圧力室１２内を所定の吸引力で吸引して圧力室１２内のインクをノズル２１から排出させる動作であり、これにより印刷不良の発生を防止している。
【００３３】
図４に示すように、本実施形態に係るクリーニング装置４０を構成する吸引キャップ４１は、記録ヘッド１０のノズルプレート２０に対向して、ノズルプレート２０に穿設された複数のノズル２１の全てを覆うように設けられている。具体的には、吸引キャップ４１は、ノズルプレート２０に対向する側の面に吸引口４１ａを有し、この吸引口４１ａの縁部がノズルプレート２０の表面に当接することでノズル２１の全てを覆うようになっている。また、吸引キャップ４１には、吸引口４１ａと反対側の面に吸引口４１ａと連通する連通口４１ｂが設けられ、この連通口４１ｂには吸引装置４２が吸引管４３を介して接続されている。
【００３４】
この吸引装置４２としては、吸引動作時に、所定の流速が得られる程度の吸引力で圧力室１２内を吸引できるものであれば、特に限定されないが、例えば、本実施形態では、チューブポンプを用いている。このチューブポンプである吸引装置４２は、例えば、図５に示すように、可撓性チューブ４４の外形を円弧状に規制するチューブ支持面４５ａを有するポンプフレーム４５と、ステッピングモータ等の図示しない駆動手段に接続された駆動軸４６によって回動されるポンプホイル４７と、このポンプホイル４７の周縁部に回転可能に取り付けられた２つのローラ４８とを有する。そして、このような吸引装置４２では、ポンプホイル４７を、駆動軸４６を中心として回転させることにより、可撓性チューブ４４が各ローラ４８によって順次押し潰され、これにより圧力室１２内が吸引されるようになっている。
【００３５】
そして、このようなクリーニング装置４０の動作が後述する吸引制御手段等によって制御されることで、例えば、電源投入時あるいは印刷の合間等の所定のタイミングで上述した吸引動作が実行される。具体的には、吸引キャップ４１をノズルプレート２０に密着させた状態で、チューブポンプである吸引装置４２によって吸引口４１ａ内を負圧にして圧力室１２内を所定の吸引力で吸引することにより、ノズル２１から圧力室１２内のインクを排出させる。これにより、圧力室１２内のノズル２１近傍の増粘したインクや、インクに混入している気泡等をノズル２１から排出することができ、印刷不良の発生を防止することができる。
【００３６】
図６は、記録装置１の機能ブロック図である。図６に示すように、本実施形態に係る記録装置１は、実際に印刷を行う機構部となる記録ヘッド１０と、記録ヘッド１０のノズル２１近傍のインクを吸引する吸引装置４２を含むクリーニング装置４０と、これら記録ヘッド１０及びクリーニング装置４０の動作を制御する制御部５０とを有し、さらに、本発明では、記録装置１の使用場所の環境気圧を検出する気圧検出手段６０を有する。また、制御部５０は、印刷制御手段５１、記録ヘッド駆動回路５２、印刷位置制御手段５３、吸引制御手段５４と、算出手段５５と、調整手段５６とを有する。
【００３７】
吸引制御手段５４は、クリーニング装置４０の動作を制御して記録ヘッド１０のノズル２１近傍のインクを吸引する吸引動作を行わせる。詳しくは、吸引制御手段５４は、印刷位置制御手段５３を介して記録ヘッド１０を吸引キャップ４１に対向する位置に移動し、記録ヘッド１０を吸引キャップ４１でキャッピングする。吸引制御手段５４は、制御部５０等に設けられる記憶部５７に記憶された駆動条件に基づいて吸引装置４２を駆動することで圧力室１２内を所定の吸引力で吸引する吸引動作を行わせる。
【００３８】
印刷制御手段５１は、記録ヘッド１０の印刷動作を制御し、例えば、印刷信号の入力に伴って記録ヘッド駆動回路５２を介して記録ヘッド１０の駆動を制御してノズル２１からインク滴を吐出させる。印刷位置制御手段５３は、印刷時等に、記録ヘッド１０の主走査方向及び副走査方向の位置決めを行う。詳しくは、印刷位置制御手段５３は、駆動モータ７を駆動してキャリッジ４を主走査方向に移動することで記録ヘッド１０の主走査方向の位置決めを行い、図示しない紙送りモータを駆動してプラテン９を回転させて記録シートＳを副走査方向に移動することで記録シートＳに対する記録ヘッド１０の副走査方向の位置決めを行う。
【００３９】
また、算出手段５５は、印刷時のインク滴の吐出回数や、吸引動作の実施回数等の条件に基づいてインク供給手段（インクカートリッジ）のインク残量を算出する。例えば、吸引動作の場合、１回の吸引動作で消費する計算上のインク消費量が予め設定されている。そして、算出手段５５は、吸引動作を実施する際に、この計算上のインク消費量（以下、「設定消費量」という）を、吸引動作の回数に応じてインク供給手段の全インク量から累積的に減算することによってインク供給手段のインク残量を算出する。また、例えば、インク供給手段が所定のインク残量となった時点で、例えば、インク交換ランプを点灯させる等により、ユーザにインク供給手段の交換を促す。
【００４０】
調整手段５６は、気圧検出手段６０が検出した使用場所の環境気圧に応じて、上記「設定消費量」を調整する。気圧検出手段６０は、例えば、電源ＯＮ時等、所定のタイミングで使用場所の環境気圧を検出し、気圧検出手段６０が環境気圧を検出すると、調整手段５６は、この環境気圧に応じて「設定消費量」を調整する。すなわち、環境気圧に応じた「設定消費量」を記憶部５７に書き込む。そして、上述したように算出手段５５が、この記憶部５７に記憶された調整された「設定消費量」に基づいてインク供給手段のインク残量を算出する。なお、気圧検出手段６０は、環境気圧を検出することができるものであれば、特に限定されないが、例えば、半導体圧力センサ等を用いた気圧計が好適に用いられる。
【００４１】
以下、このようなインクジェット式記録装置の動作、特に、「設定消費量」の調整動作について説明する。
【００４２】
まず、記録装置１の電源を投入すると、気圧検出手段６０が、記録装置１の使用場所の環境気圧を検出する。例えば、海抜０（ｍ）の場所では、環境気圧は約１０６０（ｈＰａ）となり、例えば、海抜２０００（ｍ）の場所では、環境気圧は約７７０（ｈＰａ）となる。なお、気圧検出手段６０が環境気圧を検出するタイミングは、特に限定されず、例えば、電源を投入する度に検出するようにしてもよいが、例えば、インクカートリッジを交換する際等、ある程度の間隔をおいて実施するのが好ましい。
【００４３】
そして、このように気圧検出手段６０が環境気圧を検出すると、調整手段５６がこの環境気圧に基づいて「設定消費量」を調整する。具体的には、下記表１に示すような環境気圧と「設定消費量」とが関連付けられたテーブルが、例えば、記憶部５７に記憶されている。そして、気圧検出手段６０が環境気圧を検出すると、調整手段５６が、このテーブルに基づいて「設定消費量」を選択（算出）して、制御部５０の記憶部５７に書き込む。
【００４４】
【表１】
2007301906.tif 000003
【００４５】
ここで、本実施形態では、上記表１に示すように、テーブルには、「設定消費量」の基準値、例えば、「ｐａ＿ａ」が設定されている。また、環境気圧がその数値範囲に応じて複数のランクＡ〜Ｅ（Ａ：高気圧側）に分けられており、各ランク毎に設定消費量の係数が設定されている。なお、使用頻度の高い気圧領域、あるいはインク消費量の変化が大きい気圧領域では、環境気圧の各ランクにおける数値範囲を狭くするのが好ましい。そして、気圧検出手段６０が環境気圧を検出すると、調整手段５６は、このようなテーブルから、気圧検出手段６０が検出した環境気圧のランクに対応する設定消費量の係数を選択し、選択した係数と設定消費量の基準値とから算出された「設定消費量」を制御部５０の記憶部５７に書き込む。例えば、環境気圧がランクＣである場合、ｐａ＿ａ×０．７１を、「設定消費量」として制御部５０の記憶部５７に書き込む。なお、テーブルとしては、環境気圧と、各ランクの環境気圧に対応する「設定消費量」がそれぞれ関連づけられたもの等であってもよいことは言うまでもない。
【００４６】
そして、吸引動作が実施されると、算出手段５５は、この記憶部５７に記憶された設定消費量に基づいて、インク供給手段のインク残量を算出する。
【００４７】
図７に点線で示すように、吸引動作における実際のインク消費量は、ランクＥからランクＡに向かうほど、すなわち、環境気圧の増加に伴って増加する。そして、従来の記録装置では、「設定消費量」は、実際のインク消費量の最大値Ｃ１（ランクＡ：ａ−ｂに対応）に設定されるため、環境気圧がランクＥ（ｅ−ｆ）に近いほど「設定消費量」と実際のインク消費量との差は拡大する。
【００４８】
一方、本発明では、上述したように環境気圧に基づいて、例えば、本実施形態では、環境気圧のランクに基づいて「設定消費量」を変化させるようにしている。すなわち「設定消費量」は、図７に実線で示すように、ランクＡ〜Ｅのそれぞれにおける実際のインク消費量の最大値Ｃ１ａ〜Ｃ１ｅに設定される。したがって、環境気圧のランクに拘わらず、実際のインク消費量との差が極めて小さくなる。例えば、環境気圧のランクがＥである場合、従来の記録装置では「設定消費量」Ｃ１と実際のインク消費量Ｃｒとの差ｄ１はかなり大きくなるが、本発明の記録装置では「設定消費量」Ｃ１ｅと実際のインク消費量Ｃｒとの差ｄ２は極めて小さくなる。
【００４９】
これにより、インク供給手段の計算上のインク残量と実際のインク残量との差が極めて小さくなる。したがって、インク供給手段（インクカートリッジ）内のインクを効率的に使用することができる。すなわち、インク供給手段内のインクをほぼ完全に使用することができるようになる。よって、ランニングコストを抑えた液体噴射装置を実現することができる。
【００５０】
なお、本実施形態では、環境気圧に基づいて、吸引手段の吸引速度の調整として吸引装置４２の回転速度の調整を行うようにしたが、吸引手段の吸引時間の調整として吸引装置４２の回転数（回転時間）の調整をさら行うようにしてもよい。これにより、インク供給手段内のインクをさらに有効に利用することができる。
【００５１】
（実施形態２）
図８は、本実施形態に係る記録装置の機能ブロック図である。実施形態１では、記録装置１に設けられた気圧検出手段６０が環境気圧を検出するようにしたが、本実施形態では、ユーザによって入力された使用場所の標高に基づいて環境気圧を算出するようにした例である。すなわち、図８に示すように、本実施形態に係る記録装置は、気圧検出手段の替わりに、ユーザが記録装置の使用場所の標高を入力する入力手段７０を具備すると共に、制御部５０が使用場所の環境気圧を算出する気圧算出手段５８を有する以外は、実施形態１と同様である。
【００５２】
入力手段７０は、例えば、装置本体の前面に設けられ、例えば、各種パラメータの設定や、印刷開始を指示する各種キー等を備えた操作部であり、本実施形態では、使用場所の標高を入力することができるようになっている。また、気圧算出手段５８は、例えば、このような入力手段７０から入力された標高に基づいて使用場所の環境気圧を算出する。具体的には、制御部５０の記憶部５７に、標高と環境気圧とを関連付けたテーブル、あるいは数式を予め記憶させておく。そして、ユーザによって入力手段７０から標高が入力されると、気圧算出手段５８が、記憶部５７に記憶されている上記テーブルあるいは数式を参照して、使用場所の環境気圧を算出する。
【００５３】
そして、調整手段５６が、上述した気圧検出手段６０が検出した環境気圧の替わりに、この気圧算出手段５８によって算出された環境気圧に応じて「設定消費量」を調整する。
【００５４】
このような構成としても、実施形態１と同様の効果が得られることは言うまでもない。また、ユーザによって入力された標高に基づいて環境気圧を検出することで、正しい標高が入力されれば、環境気圧を正確に算出することができる。したがって、吸引装置４２の駆動条件を、環境気圧に最適な状態に比較的容易に調整することができる。
【００５５】
なお、本実施形態では、装置本体に標高を入力するための入力手段を設けるようにしたが、このような入力手段は設けずに、記録装置１に接続されるコンピュータ側で標高を入力できるようにしてもよい。すなわち、コンピュータの制御プログラム（プリンタドライバ）などによる設定項目として「標高」を設けるようにしてもよい。
【００５６】
（実施形態３）
図９は、実施形態３に係る記録装置の機能ブロック図である。実施形態２では、気圧算出手段５８が、入力手段７０等から入力された標高に基づいて使用場所の環境気圧を算出するようにしたが、本実施形態では、気圧算出手段５８が、記録ヘッドを構成するアクチュエータの静電容量から環境気圧を算出するようにした例であり、それ以外の構成は、実施形態２と同様である。
【００５７】
具体的には、図９に示すように、入力手段の替わりに、アクチュエータの静電容量、すなわち、可撓性電極である振動板１６と個別電極３３との間の静電容量を検出する容量検出手段８０を有する。また、気圧算出手段５８が、この容量検出手段８０によって検出されたアクチュエータの静電容量から環境気圧を算出する。例えば、本実施形態に係る気圧算出手段５８は、容量検出手段８０が検出したアクチュエータの静電容量から、振動板１６と個別電極３３との間の距離（ギャップ）を算出し、記憶部５７に記憶されているこの距離と環境気圧とが関連付けられたテーブル、あるいは所定の数式とに基づいて、使用場所の環境気圧を算出する。そして、調整手段５６は、この気圧算出手段５８が静電容量から算出した環境気圧に応じて「設定消費量」を調整する。
【００５８】
ここで、振動板１６は、電圧が印加されていない状態で環境気圧に起因して変形する。例えば、環境気圧が比較的高い場合、図１０（ａ）に示すように、振動板１６は個別電極３３側が凸となるように撓んだ状態となり、一方、環境気圧が比較的低い場合には、図１０（ｂ）に示すように、個別電極３３側が凹となるように撓んだ状態となる。このため、これら振動板１６と個別電極３３との間の静電容量は、環境気圧に応じて変化する。したがって、振動板１６と個別電極３３との間の静電容量から、環境気圧を算出することができる。
【００５９】
このような構成としても、上述の実施形態と同様の効果が得られる。また、アクチュエータの静電容量から環境気圧を算出することで、比較的容易に正確な環境気圧を求めることができる。
【００６０】
また、本実施形態では、アクチュエータの静電容量から環境気圧を算出するようにしたが、例えば、記録ヘッドの振動板１６（圧力室）のインク滴吐出後の残留振動波形から環境気圧を算出するようにしてもよい。すなわち、容量検出手段８０の替わりに、振動板１６の残留振動波形を検出する振動検出手段を設け、気圧算出手段５８が、この振動検出手段によって検出された振動板１６の残留振動波形から環境気圧を算出するようにしてもよい。この振動板１６の残留振動も、上述した振動板１６の変形に伴って変化するため、この振動板１６の残留振動波形からも環境気圧を正確に算出することができる。
【００６１】
（実施形態４）
図１１は、実施形態４に係る記録装置の機能ブロックを示す図である。本実施形態は、調整手段５６が、使用場所の環境気圧と共に、使用場所の環境温度に応じて「設定消費量」を調整するようにした例である。
【００６２】
本実施形態では、図１１に示すように、使用場所の環境温度を検出する、例えば、サーミスタ等からなる温度検出手段９０をさらに具備し、調整手段５６が、以下に説明する条件に基づいて、気圧検出手段６０が検出した環境気圧又は温度検出手段９０が検出した環境温度の何れかに応じて「設定消費量」を調整するようにした以外は、実施形態１と同様である。
【００６３】
ここで、例えば、チューブポンプ等からなる吸引装置４２によって吸引動作を実施すると、環境温度が高くインクの粘度が低い状態では、実質的に定量ポンプとして機能し、一方、環境温度が低くインクの粘度が高い状態では、実質的に定圧ポンプとして機能する場合がある。勿論、定圧ポンプあるいは定量ポンプとして機能する境界温度は、インクの種類や、インク流路の流路抵抗によって変化する。
【００６４】
そして、本実施形態では、調整手段５６が、使用場所の環境温度によって、環境気圧又は環境温度の何れか一方に応じて「設定消費量」を調整するようにした。これにより、さらなるインクの有効利用が可能となる。
【００６５】
具体的には、本実施形態では、温度検出手段９０が、電源投入時等の所定のタイミングで使用場所の環境温度を検出し、温度検出手段９０が検出した環境温度が、吸引動作を実行した際に圧力室１２内が定圧で吸引される範囲である場合には、実施形態１で説明したように、調整手段５６が、気圧検出手段６０が検出した環境気圧に応じて「設定消費量」を調整する。一方、温度検出手段９０が検出した環境温度が、吸引動作を実行した際に圧力室１２内が定量で吸引される範囲となった場合には、調整手段５６は温度検出手段９０が検出した環境温度に応じて「設定消費量」を調整する。
【００６６】
以下、温度検出手段９０が検出した環境温度が、吸引動作を実行した際に圧力室１２内が定量で吸引される範囲である場合の「設定消費量」の調整動作について説明する。なお、環境温度が吸引動作を実行した際に圧力室１２内が定圧で吸引される範囲である場合は、実施形態１で説明しているため、ここでの説明は省略する。
【００６７】
本実施形態では、実施形態１で説明した環境気圧と設定消費量の係数等とが関連づけられたテーブルと共に、下記表２に示すような環境温度と「設定消費量」を決定する設定消費量の基準値、設定消費量の係数等が関連付けられたテーブルが記憶部５７に記憶されている。
【００６８】
そして、温度検出手段９０が環境気温を検出すると、調整手段５６が、このテーブルに基づいて環境温度に適した「設定消費量」を選択（算出）して、制御部５０の記憶部５７に書き込む。なお、このようなテーブルとしては、環境温度と、各ランクの環境温度に対応する「設定消費量」がそれぞれ関連づけられたもの等であってもよい。
【００６９】
【表２】
2007301906.tif 000004
【００７０】
ここで、上記表２に示すように、テーブルには「設定消費量」の基準値、例えば、「ｐｔ＿ａ」が設定されている。また、環境温度がその数値範囲に応じて複数のランクＡ〜Ｆ（Ａ：高温側）に分けられており、各ランク毎に設定消費量の係数が設定されている。なお、使用頻度の高い温度領域、あるいはインク消費量の変化が大きい温度領域では、特に、環境温度の各ランクにおける数値範囲を狭くするのが好ましく、本実施形態では、ランクＦ側ほど数値範囲を狭くするようにしている。そして、温度検出手段９０が環境温度を検出すると、調整手段５６は、このようなテーブルから、温度検出手段９０が検出した環境温度のランクに対応する設定消費量の係数を選択し、選択した係数と設定消費量の基準値とから算出された「設定消費量」を制御部５０の記憶部５７に書き込む。例えば、環境温度がランクＢである場合、ｐｔ＿ａ×１．３を「設定消費量」として制御部５０の記憶部５７に書き込む。
【００７１】
そして、吸引動作が実施されると、算出手段５５は、この記憶部５７に記憶された設定消費量に基づいて、インク供給手段のインク残量を算出する。
【００７２】
図１２に点線で示すように、吸引動作における実際のインク消費量は、ランクＦ（ｅ−ｇ）からランクＡ（ａ−ｂ）に向かうほど、すなわち、環境温度の増加（インク粘度の減少）に伴って徐々に増加する。そして、従来の記録装置では「設定消費量」は、実際のインク消費量の最大値Ｃ１（ランクＡ：ａ−ｂに対応）に設定されるため、環境温度がランクＦに近いほど「設定消費量」と実際のインク消費量との差は拡大する。
【００７３】
一方、本発明では、上述したように環境温度に基づいて、例えば、本実施形態では、環境温度のランクに基づいて「設定消費量」を調整している。すなわち「設定消費量」は、図１２に実線で示すように、ランクＡ〜Ｆのそれぞれにおける実際のインク消費量の最大値Ｃ１ａ〜Ｃ１ｆに設定される。したがって、環境温度のランクに拘わらず、「設定消費量」と実際のインク消費量との差が極めて小さくなる。例えば、環境温度のランクがＦである場合、従来の記録装置では「設定消費量」Ｃ１と実際のインク消費量Ｃｒとの差ｄ１はかなり大きくなるが、本発明の記録装置では「設定消費量」Ｃ１ｆと実際のインク消費量Ｃｒとの差ｄ２は極めて小さくなる。
【００７４】
これにより、インク供給手段の計算上のインク残量と実際のインク残量との差が極めて小さくなる。したがって、インク供給手段（インクカートリッジ）内のインクを効率的に使用することができる。すなわち、インク供給手段内のインクをほぼ完全に使用することができるようになる。よって、ランニングコストを抑えた液体噴射装置を実現することができる。
【００７５】
そして本実施形態のように、環境温度に応じて、調整手段５６が環境気圧又は環境温度の何れか一方に応じて「設定消費量」を設定することで、「設定消費量」を記録装置の使用環境に最適な値に設定することができ、インクを極めて有効に消費することができるようになる。
【００７６】
なお、本実施形態では、気圧検出手段６０によって検出された環境気圧、又は温度検出手段９０によって検出された環境温度に応じて調整手段５６が「設定消費量」を調整するようにしたが、勿論、実施形態２のように、調整手段５６がユーザによって入力される環境温度、又は環境気温によって「設定消費量」を調整するようにしてもよい。
【００７７】
（他の実施形態）
以上、本発明の実施形態について説明したが、勿論、本発明は、上記実施形態に限定されるものではない。上述の実施形態では、例えば、表１、表２に示したようなテーブルに基づいて、環境気圧、環境温度に応じた「設定消費量」を設定するようにしたが、これに限定されず、例えば、所定の計算式に基づいて環境気圧等に応じた「設定消費量」を設定するようにしてもよい。
【００７８】
また、上述の実施形態では、インクジェット式記録ヘッドとして、静電駆動方式の記録ヘッドを例示したが、実施形態１，２及び４の構成においては、インクジェット式記録ヘッドの駆動方式は、特に限定されるものではない。
【００７９】
さらに、上述した実施形態では、液体噴射装置の一例としてインクジェット式記録ヘッドを具備するインクジェット式記録装置を挙げて本発明を説明したが、本発明は広く液体噴射装置全般を対象としたものであり、インク以外の液体を噴射する液体噴射ヘッドを具備する液体噴射装置にも勿論適用することができる。具体的には、例えば、プリンタ等の画像記録装置に用いられる各種の記録ヘッド、液晶ディスプレー等のカラーフィルタの製造に用いられる色材噴射ヘッド、有機ＥＬディスプレー、ＦＥＤ（面発光ディスプレー）等の電極形成に用いられる電極材料噴射ヘッド、バイオｃｈｉｐ製造に用いられる生体有機物噴射ヘッド等を具備する液体噴射装置が挙げられる。
【図面の簡単な説明】
【００８０】
【図１】実施形態１に係る記録装置の概略斜視図である。
【図２】実施形態１に係る記録ヘッドの概略斜視図である。
【図３】実施形態１に係る記録ヘッドの断面図である。
【図４】実施形態１に係るクリーニング装置の概略図である。
【図５】実施形態１に係る吸引装置の概略平面図である。
【図６】実施形態１に係る記録装置の機能ブロック図である。
【図７】環境気圧とインク消費量及び設定消費量との関係を示すグラフである。
【図８】実施形態２に係る記録装置の機能ブロック図である。
【図９】実施形態３に係る記録装置の機能ブロック図である。
【図１０】振動板の環境気圧に起因する変形状態を示す図である。
【図１１】実施形態４に係る記録装置の機能ブロック図である。
【図１２】環境温度とインク消費量及び設定消費量との関係を示すグラフである。
【符号の説明】
【００８１】
１  記録装置、  ２  ヘッドユニット、  ３  インクカートリッジ、  ４  キャリッジ、  ５  装置本体、  ６  キャリッジ軸、  ７  駆動モータ、  ８  タイミングベルト、  ９  プラテン、  １０  記録ヘッド、  １１  キャビティ基板、  １２  圧力室、  １３  共通インク室、  １４  インク供給孔、  １５  貫通孔、  １６  振動板、  １７  共通端子部、  ２０  ノズルプレート、  ２１  ノズル、  ２２  ノズル段差部、  ２３  インク供給路、  ２４  露出孔、  ２５  撥液膜、  ３０  電極基板、  ３１  溝、  ３２  インク導入孔、  ３３  個別電極、  ３４  個別端子部、  ３５  リード電極、  ４０  クリーニング装置、  ４２  吸引装置
【図１】
2007301906.tif 000005
【図２】
2007301906.tif 000006
【図３】
2007301906.tif 000007
【図４】
2007301906.tif 000008
【図５】
2007301906.tif 000009
【図６】
2007301906.tif 000010
【図７】
2007301906.tif 000011
【図８】
2007301906.tif 000012
【図９】
2007301906.tif 000013
【図１０】
2007301906.tif 000014
【図１１】
2007301906.tif 000015
【図１２】
2007301906.tif 000016